【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
第１のＴＶプログラムまたはチャンネルの表示に関連して、選択された第１のＴＶ広告を提示するための自動手配を含む自動式コンピュータ実装方法であって、
(a)  前記第１のＴＶプログラムまたはチャンネルと、第１のオンラインユーザプロファイルとの関係が、前記第１のオンラインユーザプロファイルからの情報の少なくとも一部に基づいて自動的に識別され、
(b)  前記第１のＴＶ広告は、前記第１のオンラインユーザプロファイルからの情報の少なくとも一部に基づいて自動的に選択され、
(c)前記選択された第１のＴＶ広告と、前記第１のＴＶプログラムまたはチャンネルとは、前記第１のオンラインユーザプロファイルに関連する、対応した第１のセットトップボックス識別情報を有する第１のセットトップボックスを介して提示されることを特徴とするコンピュータ実装方法。
【請求項２】
(a)  第１のオンラインユーザプロファイルと、第１のＴＶプログラムまたはチャンネルとの間の関係が、前記第１のオンラインユーザプロファイルからの情報の少なくとも一部に基づいて自動的に識別され、
(b)  前記第１のオンラインユーザプロファイルからの情報の少なくとも一部に基づいて第１のＴＶ広告を自動的に選択し、
(c)第１のセットトップボックスを介して前記選択された第１のＴＶプログラムまたはチャンネルを提示することに関連して、前記第１のオンラインユーザプロファイルに関連する、対応した第１のセットトップボックス識別情報を有する前記第１のセットトップボックスを介して、前記選択された第１のＴＶ広告を提示するための指令を手配しかつ伝送する、各工程を自動的に行うことを特徴とするコンピュータ実装方法。
【請求項３】
(a)  第１のオンラインユーザプロファイルからの情報の少なくとも一部に基づいて第１のＴＶ広告の選択表示を受入れ、
(b)  前記第１のオンラインユーザプロファイルと、第１のＴＶプログラムまたはチャンネルとの間の関係が、前記第１のオンラインユーザプロファイルからの情報の少なくとも一部に基づいており、この関係を識別し、
(c)第１のセットトップボックスを介して前記選択された第１のＴＶプログラムまたはチャンネルの提示に関連して、前記第１のオンラインユーザプロファイルに関連する、対応した第１のセットトップボックス識別情報を有する前記第１のセットトップボックスを提示するための指令を手配しかつ伝送する、各工程を自動的に行うことを特徴とするコンピュータ実装方法。
【請求項４】
(a)  第１のオンラインユーザプロファイルからの情報の少なくとも一部に基づいて、第１のＴＶ広告を選択し、
(b)  前記第１のオンラインユーザプロファイルと、第１のＴＶプログラムまたはチャンネルとの間の関係が、前記第１のオンラインユーザプロファイルからの情報の少なくとも一部に基づいており、この関係の指示を受け取り、
(c)第１のセットトップボックスを介して前記選択された第１のＴＶプログラムまたはチャンネルの提示に関連して、前記第１のオンラインユーザプロファイルに関連する、対応した第１のセットトップボックス識別情報を有する前記第１のセットトップボックスを介して、前記選択された第１のＴＶ広告を提示するための指令を手配しかつ伝送する、各工程を自動的に行うことを特徴とするコンピュータ実装方法。
【請求項５】
(a)  第１のオンラインユーザプロファイルと、第１のＴＶプログラムまたはチャンネルとの間の関係が、前記第１のオンラインユーザプロファイルからの情報の少なくとも一部に基づいており、この関係の指示を受け取り、
(b)  前記第１のオンラインユーザプロファイルからの情報の少なくとも一部に基づいて、第１のＴＶ広告の選択表示を受入れ、
(c)  第１のセットトップボックスを介して、選択された前記第１のＴＶプログラムまたはチャンネルの提示に関連して、前記第１のオンラインユーザプロファイルに関連する、対応した第１のセットトップボックス識別情報を有する前記第１のセットトップボックスを前記第１のオンラインユーザプロファイルに関連する、対応する第１のセットトップボックス識別情報を有する第１のセットトップボックスを介して、前記選択された第１のＴＶ広告を提示するための指令を手配しかつ伝送する、各工程を自動的に行うことを特徴とするコンピュータ実装方法。
【請求項６】
前記第１のセットトップボックスを介して前記第１のＴＶプログラムの提示において、第１のオンラインユーザプロファイルは、他の関連したオンラインユーザプロファイルからの情報よりも前記第１のＴＶプログラムに密接に関係した情報を有するとき、前記第１のセットトップ識別情報に関連した多数のオンラインユーザプロファイルの間から自動的に識別されることを特徴とする請求項１〜５のいずれかに記載の方法。
【請求項７】
さらに、第２のＴＶプログラムまたはチャンネルの提示に関連して、選択された第２のＴＶ広告を提示するための自動手配を含み、
(d)  前記第２のＴＶプログラムまたはチャンネルと、第２のオンラインユーザプロファイルとの関係が、前記第２のオンラインユーザプロファイルからの情報の少なくとも一部に基づいて自動的に識別され、
(e)  前記第２のＴＶ広告は、前記第２のオンラインユーザプロファイルからの情報の少なくとも一部に基づいて自動的に選択され、
(f)  前記選択された第２のＴＶ広告と、前記第２のＴＶプログラムまたはチャンネルとは、前記第２のオンラインユーザプロファイルに関連する、対応した第２のセットトップボックス識別情報を有する第２のセットトップボックスを介して提示され、
(g)  (i)前記第１、第２のＴＶ広告の一方が、前記第１のオンラインユーザプロファイルと第２のオンラインユーザプロファイルとの間の相違によるセットトップボックスを介して提示されるために選択され、または、
(ii) 前記第１、第２のＴＶ広告の一方が、前記第１のオンラインユーザプロファイルと第２のオンラインユーザプロファイルとの間の相違によるＴＶプログラムまたはチャンネルに関連して提示するために選択されることを特徴とする請求項１〜６のいずれかに記載の方法。
【請求項８】
さらに自動的に、
(d)  前記第２のＴＶプログラムまたはチャンネルと、第２のオンラインユーザプロファイルとの関係が、前記第２のオンラインユーザプロファイルからの情報の少なくとも一部に基づいて自動的に識別され、
(e)  前記第２のオンラインユーザプロファイルからの情報の少なくとも一部に基づいて第２のＴＶ広告を自動的に選択し、
(f)  前記選択された第２のＴＶプログラムまたはチャンネルの提示に関連して、前記第２のオンラインユーザプロファイルに関連する、対応した第２のセットトップボックス識別情報を有する第２のセットトップボックスを介して選択された第２のＴＶ広告を提示するための指令を配列しまたは伝送し、
(g)  (i)前記第１、第２のＴＶ広告の一方が、前記第１のオンラインユーザプロファイルと前記第２のオンラインユーザプロファイルとの間の相違による前記セットトップボックスを介して提示するために選択され、
(ii) 前記第１、第２のＴＶ広告の一方が、前記第１のオンラインユーザプロファイルと前記第２のオンラインユーザプロファイルとの間の相違による前記選択されたＴＶプログラムまたはチャンネルに関連して提示するために選択されることを特徴とする請求項２記載の方法。
【請求項９】
前記第１のＴＶプログラムに関係する前記第１のオンラインユーザプロファイルからの情報は、ユーザに関する人口統計学的情報、および／または、ユーザのオンライン活動に関する情報、および／または、ユーザに関する公表された情報を含んでいることを特徴とする請求項１〜８のいずれかに記載の方法。
【請求項１０】
前記第１のＴＶ広告を選択するのに用いられる前記第１のオンラインユーザプロファイルからの情報は、ユーザに関する人口統計学的情報、および／または、ユーザのオンライン活動に関する情報、および／または、ユーザに関する公表された情報を含んでいることを特徴とする請求項１〜９のいずれかに記載の方法。
【請求項１１】
前記第１のオンラインユーザプロファイルと前記第１のセットトップボックス識別情報は、それぞれが共通のオンラインアクセス識別情報に関連して関連付けられ、および／または、前記ユーザに関する個人的に識別可能な情報を用いることなく関連付けられることを特徴とする請求項１〜１０のいずれかに記載の方法。
【請求項１２】
前記オンラインアクセス識別情報及び前記第１のセットトップボックス識別情報は、第１のオンラインユーザプロファイルにおいて参照されまたは含まれる前記オンラインアクセス識別情報によって関連付けられ、または、データベースに関連付けられ、または、オンラインアクセス識別情報に対応するオンラインアクセスデバイスおよび共通のローカルエリアネットワークに接続されている前記第１のセットトップボックスによって関連付けられることを特徴とする請求項１〜１１のいずれかに記載の方法。
【請求項１３】
前記選択された第１のＴＶ広告は、前記第１のＴＶプログラムの放送による提示に関連して提供され、または、前記第１のＴＶプログラムの遅延した提示に関連して提供されることを特徴とする請求項１〜１２のいずれかに記載の方法。
【請求項１４】
前記選択された第１のＴＶ広告は、前記第１のＴＶプログラムに空間的に結合または一時的に交互に重なること、または、前記第１のＴＶプログラムの提示の直前または直後に提供されることを特徴とする請求項１〜１３のいずれかに記載の方法。
【請求項１５】
請求項１〜１４の何れかの方法を実行するために構成されかつ接続された少なくとも１つのコンピュータ、またはコンピュータで読み取り可能な指令をエンコードする有形的表現媒体を構成する物品を含むシステムであって、
少なくとも１つのコンピュータに前記指令が与えられたとき、前記請求項１〜１４のいずれかの方法を実行するために、前記少なくとも１つのコンピュータに指示することを特徴とするシステム。